(57)【要約】例えば、子供からその子供の親宛の学校に迎えに来てもらうというような、輸送に対する要求のようなサービスに対する位置信号を供給するためのシステムおよび方法。専用通信装置は、位置特定機能およびベアラに対するサービスを要求するための制御装置を有する。各親用の監視通信装置のような少なくとも１つの監視通信装置は、サービスに対する要求と一緒に位置を受信し、それに応答するために動作することができる。セキュア・ドメイン・マネージャは、位置および要求サービス指示を受信し、監視装置に位置および要求サービス指示を配信し、１つの監視装置から応答を入手し、この応答を他の監視装置およびベアラの通信装置へ送るために使用することができる。通信は、ベアラの装置と監視装置との間だけで行うことができる。通信装置の位置を追跡することができ、そこにナビゲーションを提供することができる。
2008532383.tif 000002
【特許請求の範囲】
【請求項１】
サービスに対する位置信号を供給するためのシステムであって、
位置特定機能を有する無線通信装置であって、同無線通信装置のベアラに対するサービス要求を送信するための制御装置を含むユーザ・インタフェースを有する無線通信装置と、
少なくとも１つの監視通信装置であって、無線通信装置からのサービス要求と一緒に位置を受信し、他の監視通信装置および無線通信装置に確認の応答を送信するために動作することができる少なくとも１つの監視通信装置と、
を備えるシステム。
【請求項２】
前記無線通信送信および前記少なくとも１つの監視装置が、前記無線通信装置と前記少なくとも１つの監視装置との間だけでシステム通信を行うことができるように、セキュア・ドメイン内に登録される請求項１に記載のシステム。
【請求項３】
前記要求したサービスが、前記無線通信装置のベアラの輸送のためのものである請求項１に記載のシステム。
【請求項４】
前記無線通信装置のユーザ・インタフェースの制御装置が作動した場合に、前記要求したサービスに対する予め記録した通信が少なくとも１つの監視装置に送信される請求項１に記載のシステム。
【請求項５】
前記少なくとも１つの監視装置が、その位置について前記無線通信装置に問い合わせるために動作することができる請求項１に記載のシステム。
【請求項６】
前記１つの監視通信装置が、前記無線通信装置の位置へのナビゲーション情報の提供を受ける請求項１に記載のシステム。
【請求項７】
前記無線通信装置の動作が、サービスの要求、その位置の提供、および応答の受信だけに限定される請求項１に記載のシステム。
【請求項８】
前記無線通信装置のユーザ・インタフェースが、前記装置のベアラに、サービスに対する要求に応答した１つの監視装置を識別する応答を受信したことを知らせるために動作することができる請求項１に記載のシステム。
【請求項９】
輸送のための位置信号を供給するためのシステムであって、
位置特定機能を有する無線通信装置であって、前記無線通信装置のベアラに対する輸送を要求している予め記録した通信を送信するための制御装置を備えるユーザ・インタフェースを有する無線通信装置と、
少なくとも１つの監視通信装置であって、輸送に対する要求と一緒に位置を受信し、それに応答するために動作することができる少なくとも１つの監視通信装置と、
セキュア・ドメイン・マネージャであって、前記無線通信装置および前記少なくとも１つの監視装置がセキュア・ドメイン・マネージャと一緒にセキュア・ドメイン内に登録され、前記セキュア・ドメイン・マネージャが、前記無線通信装置から位置と輸送指示に対する要求を受信し、前記少なくとも１つの監視通信装置に位置および輸送指示に対する要求を提供し、前記監視通信装置のうちの１つから応答を入手し、他の監視通信装置および前記無線通信装置に応答について通知するために動作することができるセキュア・ドメイン・マネージャと、を備えるシステム。
【請求項１０】
前記セキュア・ドメイン・マネージャが、前記無線通信装置を追跡するために前記無線通信装置にその位置について周期的に問い合わせるために動作することができる請求項９に記載のシステム。
【請求項１１】
前記１つの監視通信装置が、最近の位置の問合せにより、前記無線通信装置の現在の位置へのナビゲーション情報の提供を受ける請求項１０に記載のシステム。
【請求項１２】
前記無線通信装置の動作が、輸送の要求、その位置の提供、および応答の受信だけに限定される請求項９に記載のシステム。
【請求項１３】
前記無線通信装置の前記ユーザ・インタフェースが、前記装置の前記ベアラに、輸送に対する要求に応答した１つの監視装置を識別する応答を受信したことを知らせるために動作することができる請求項９に記載のシステム。
【請求項１４】
サービスに対する位置信号を供給するための方法であって、
位置特定機能を有する無線通信装置および少なくとも１つの監視通信装置を提供するステップと、
前記無線通信装置から位置とサービス指示に対する要求を送信するステップと、
前記少なくとも１つの監視通信装置により前記位置とサービス指示に対する要求を受信するステップと、
前記監視通信装置のうちの１つから他の監視通信装置および前記無線通信装置に応答を送信するステップと、
を含む方法。
【請求項１５】
前記方法が、前記無線通信装置と前記少なくとも１つの監視装置との間だけで動作することができるように、セキュア・ドメイン内に前記無線通信装置および前記少なくとも１つの監視装置を登録するステップをさらに含む請求項１４に記載の方法。
【請求項１６】
前記送信ステップが、前記要求されたサービスに対して予め記録した通信を送信するステップを含む請求項１４に記載の方法。
【請求項１７】
前記無線通信装置にその位置について問い合わせるステップをさらに含む請求項１４に記載の方法。
【請求項１８】
前記無線通信装置の位置へのナビゲーション情報を提供するステップをさらに含む請求項１４に記載の方法。
【請求項１９】
前記無線通信装置の動作を、サービスの要求、その位置の提供、および応答の受信だけに限定するステップをさらに含む請求項１４に記載の方法。
【請求項２０】
前記装置のベアラに、サービスに対する前記要求に応答した前記１つの監視装置を識別する応答を受信したことを知らせるステップをさらに含む請求項１４に記載の方法。
【発明の詳細な説明】
【技術分野】
【０００１】
本発明は、概して、無線位置通信システムに関し、特に、サービスを受ける人の位置を信号で知らせる際に使用するためのシステムに関する。
【背景技術】
【０００２】
無線通信装置およびその用途の最近の急増により、基本通信以外にも無線通信装置が盛んに使用されている。このような装置が盛んに使用されるようになったために、家族および友人が相互に連絡できるようになってきている。しかし、月々の使用料金が高いために、このような装置を小さな子供に与えるのは不経済であった。さらに、非常に小さな子供は、一般の携帯電話を適切に操作することができない。しかし、安全のために子供達を監視するのは一番の関心事である。それ故、子供の位置特定システムを提供するというニーズを満たすために、無線技術を使用するという解決方法が提案されている。
【０００３】
従来技術の１つの解決方法は、位置特定サービスを提供するために衛星測位システムを使用する方法である。しかし、このようなサービスは、通常、通信装置内に組み込まれていて、一般に、外部装置およびサービスと相互に作用することができない。従来技術のもう１つの解決方法は、例えば、盗難にあった場合、車の位置を送信することができる車内のような場所に無線周波数（ＲＦ）タグを設置する方法である。この場合も、この技術は高価であり、車のバッテリーのような大きな送信機用電源を必要とする。さらに、信号を検出するために特殊な受信機およびソフトウェアを必要とする。従来技術のもう１つの解決方法は、携帯電話装置の制御信号走査の位置を特定するために携帯電話技術を使用する方法である。しかし、この技術は、連続マルチセル制御信号走査およびそれへの応答送信のために高電源を必要とする。上記すべての解決方法は高価であり、実用的でないか、または使用するのが難しい。
【０００４】
従来技術の他の解決方法は、比較的低コストの解決方法を提供しようとする。このような１つの解決方法は、保護者と子供との間で、携帯電話ネットワーク上で動作することができる類似の通信装置を提供する。しかし、このような装置は、類似のローカル装置との干渉を避けるために、複雑なアドレス指定およびタイミング・スキームを必要とする。他の解決方法は、簡単な送信機ビーコンを子供に着用させ、親に位置表示を有する指向性受信機を提供する。しかし、指向性受信機は、特殊なハードウェアおよび親の不断の監視を必要とする。この非常に簡単な方法は、依然として現在最もよく使用されている方法である親が子供を絶えず監視する方法とほとんど変わりがない。さらにもう１つの解決方法は、子供にブレスレット型トランシーバ、および親にモニタ・トランシーバを提供するカスタマイズ・システムを提供する。この場合、親は子供に親のところに戻るように知らせるためにブレスレットに信号を送ることができる。しかし、このシステムは、自律タイプのものではなく、システムに起動信号を送るには親は積極的な動作を行わなければならない。
【発明の開示】
【発明が解決しようとする課題】
【０００５】
それ故、サービスを要求するために、セキュアな共有無線ドメイン内で、登録した監視装置に無線で位置情報のセキュアな信号を送ることができる改良形の方法およびシステムが求められている。また、サービスの要求に応答することを知らせ、ドメイン内のすべての人に、サービスを提供する際の責任を確実に知らせる１つまたは複数の監視装置用の方法を提供すると有利である。
【０００６】
新規なものと信ずる本発明の特徴については、添付の特許請求の範囲内に詳細に説明する。本発明は、他の目的および利点と一緒に、数枚の図面内の類似の参照番号が同一の素子を示す添付の図面を参照しながら下記の説明を読めば最もよく理解することができるだろう。
【課題を解決するための手段】
【０００７】
本発明は、子供の輸送のようなサービスを要求するために、セキュアな共有無線ドメイン内で、登録した監視装置に無線で位置情報のセキュアな信号を送ることができる改良形の方法およびシステムを提供する。本発明は、また、サービスの要求に応答し、ドメイン内のすべての人にサービスを提供する際の責任を確実に知らせるための１つまたは複数の監視装置のための方法を提供する。
【０００８】
都合のよいことに、本発明は、既存の無線通信ネットワークで使用することができる。本発明は、例えば、親の携帯電話のような、標準無線通信装置と通信する子供が着用することができるような専用の特種なトランシーバ装置を提供することにより、非常にコンパクトで費用対効果の良い方法で実施することができる。セキュア・ドメインは、重要な安全およびセキュリティ関連の通信および位置情報を提供するように確立されるが、一般的な目的の通信を行うことはできない。
【０００９】
多くの場合、親が子供に無線通信装置を与える主な理由はセキュリティのためである。親は、子供が親を必要とするとき、または子供が手助けまたは協力が必要な場合にはいつでも子供が親を呼ぶことができることを望んでいる。子供は、多くの場合、セキュリティを無線通信装置を有している主な理由であると考えていない。そのため、子供への無線通信装置のセキュリティをどのように行ったらよいのか、また装置の望ましくない使用をどのようにして防止し、管理したらよいのかという問題が起こる。多くの親は、セキュリティのために限定された機能は提供するが、親の立場からあまり望ましくない場合がある他のタイプの使用をすることができない装置を好む。
【００１０】
ここで解決する主な問題は、問合せを受けた場合、子供の現在の位置を知らせ、さらに子供が「迎えに来てもらう」というようなサービスを要求することができる非常に簡単な装置をどのように与えたらよいのかという問題である。この要求は、自動的に両親（および「家族ドメイン」内の他の動作することができるメンバー）に送られ、全システムは、確実に１人の（および一般に最も近い）応答者だけが応答できるように組織される。全システムはセキュアな状態で動作しなければならないので、「騙したり」、または容易に侵入することはできない。
【００１１】
典型的なシナリオの場合、子供は、ＧＰＳシステムのような位置特定機能を含む小型のペンダントまたはブレスレットを着用している。この装置は、セキュアな状態で両親が所有する無線装置に内蔵されている。親はどちらも、装置に無線メッセージを送ることができ、装置はＧＰＳ座標の形でその現在位置を返送し、この現在位置は親の無線装置上に地図、住所またはナビゲーション情報として表示される。さらに、装置は、専用の作動ボタンまたはスイッチを有する。押下すると、このボタンは、迎えに来てもらう（すなわち、上演日、サッカーの練習、学校のイベント等からの）ような、子供のための予め設定したサービスに対する要求を送信する。この要求は、セキュア・ドメイン内のすべての使用可能無線装置により受信され、タイムスタンプが付され、また現在の位置情報を含む。
【００１２】
親の要求に応答することができる。ある装置が要求に応答すると、すべての他の装置に要求がサービスを受けたことを示す通知が自動的に送信される。複数の応答を受信した場合には、最も近い装置が応答者であると確認され、この場合も、すべての他の装置に、要求がサービスを受けたことを示す通知が送信される。次に、応答装置は、装置をベースとするまたはネットワークをベースとするナビゲーション・アプリケーションを使用して子供の装置の位置までの経路を計算する。最後に、親がその位置（または十分に近い位置）に到着すると、子供の装置に迎えの人が到着したという簡単な信号が送信される（この信号は、例えば、視覚的、聴覚的または触知的警報であってもよい）。
【００１３】
本発明の特定の実施形態は、例えば、複数の応答者の問題を直接には解決しないことを含む多少高性能の優先スキームを使用することができる。いくつかの実施形態の場合には、１つのボタン／メッセージではなく、装置は特定のボタンまたは他の作動方法にハードコード化されている少数の一定のおよび予めプログラムされたメッセージを送信することができる。さらに、複数の応答解決方法を含むシステムの種々の態様を、簡単な装置内、無線ネットワーク内、ドメイン・マネージャ内を含む種々の位置で、またはもっと高性能の親の装置間の追加の通信を介して操作することができる。また、これらの実施形態の場合には、タイムスタンプ情報は必要ない。
【発明を実施するための最良の形態】
【００１４】
図１を参照すると、本発明は、特種化したメッセージおよび位置情報を、装置１０から、簡単な装置１０のベアラの位置を問い合わせ、ベアラが行為またはサービス（通常は、子供から親へ送る迎えに来てもらう要求である）に対する要求を示す信号２８を送ることができるようにし、応答者１２が子供の装置１０の位置にナビゲートすることができるようにするためにセキュア・ドメイン内に登録している他の装置１２、１４へ送ることができるようにする低コストで特種な目的の無線通信装置１０、および関連インフラストラクチャおよび無線通信サービス、およびアプリケーション・ソフトウェアからなるシステムを提供する。
【００１５】
このようなシステムは種々の方法で実施することができるが、すべてのこのようなシステムは同一の基本要素を有する。第一に、子供用の着用可能なブレスレットのような低コストの無線通信装置１０が提供される。装置１０は、ある汎用座標システムでその位置を計算するための位置特定機能を含む。位置特定機能は、当業者であれば周知のように、例えば、図に示すように、ＧＰＳシステム２４のような静止衛星を使用することができるか、または地上をベースとする携帯電話ネットワーク三角測量または到着時間技術のような任意の他の位置特定技術を使用することができる。これらの位置特定技術の組合せも使用することができる。
【００１６】
通信装置１０は、また、スイッチまたはボタンのような、１つまたは複数の特種化した制御装置を含むことができる簡単なユーザ・インタフェース２０も含む。ユーザ・インタフェース２０は、特種化した一組の通信を送受信する機能を含む。最も簡単な実施形態の場合には、例えば、装置のベアラ（例えば、子供）が作動した場合に、親または保護者による輸送に対する要求のような特定のサービスまたは行動を要求する予め格納しているメッセージ２８を送信するユーザ・インタフェース上に制御装置を設置することができる。装置１０の位置特定機能が判定した装置の位置も送信することができる。予め格納しているメッセージは、専用装置１０のファームウェア内に埋め込むことができるし、またはその内部でプログラムすることもできる。最も基本的な形の場合、装置１０は、輸送を要求し、その位置を提供し、応答を受信することのみに制限する。好適には、その内部に関連する予め格納しているメッセージを有する他の専用サービスのための他の制御装置をユーザ・インタフェース２０上に設置することができることが好ましい。さらに、Ｅ９１１サービス用に、緊急制御装置またはボタンを設置することができる。ユーザ・インタフェース２０は、また、以下に詳細に説明するように、ベアラに音響、視覚または触知により提示することができる通信を受信するために動作することができる。
【００１７】
少なくとも１つの監視通信装置１２、１４が提供される。好適には、監視装置は、例えば、携帯無線電話のような全機能通信装置であることが好ましい。通常、監視装置は、子供の親または保護者の既存の携帯電話である。しかし、ＰＤＡ、コンピュータ、ポケットベル等のような他の通信装置も本発明で同様にうまく使用することができることに留意されたい。監視装置１２、１４は、子供の装置が送信したサービスに対する要求（例えば、輸送）と一緒に位置を受信するために動作することができる。監視装置１２、１４は、また、子供の装置１０が受信する要求に応答するために動作することができる。
【００１８】
子供に対してセキュアで安全な通信環境を提供するために、セキュアな暗号化メッセージング・システムは、装置のグループの一部（すなわち、「家族ドメイン」）として登録されている装置だけが、セキュア形式の通信がドメイン内の装置に対してのみ可能な一意のセキュア・ドメイン内で「子供の装置」と通信できるようにする。それ故、セキュア・ドメイン・マネージャ１６は、通信を制御するために使用される。ドメイン・マネージャ１６は、図に示すように、１つまたは複数の親の（監視）装置１２、１４上にハードウェアおよびアプリケーションとして組み込むことができるし、または例えばネットワーク・オペレータによるサービスとして遠隔地に設置することもできる。ドメイン・マネージャは、セキュア・ドメイン内へのすべての装置１０、１２、１４を登録するための中央制御ポイントであってもよい。ドメイン・マネージャは、また、装置間の通信のトラフィックの流れを管理する。ドメイン内の子供の装置１０または他の監視装置１４だけが読出しおよび理解することができるように、通信は暗号化される。不必要な装置がドメインに決して追加されないように、このドメイン内に装置を導入するには、理想的には、ある種の接近または直接的物理的接触、またはある種の共有セキュア鍵サーバ通信を必要とすることが好ましい。それ故、公開／秘密鍵暗号化システムを使用することができる。この場合、共通鍵は各装置１０、１２、１４内に埋め込むことができるし、または鍵を親１２、１４および子供の装置１０間でプログラムすることができる。最高のセキュリティの場合には、当業者には周知のように、ハードウェア依存鍵を有する暗号化システムを使用することが好ましい。さらに、システムは、（どちらかのまたは両方の親の携帯電話のような）複数の冗長ドメイン・コントローラと一緒に実施することができる。
【００１９】
実際には、セキュア・ドメイン・マネージャは、無線通信装置１０から位置および輸送指示の要求２８を受信し、そのユーザ・インタフェース１８上の少なくとも１つの監視通信装置１２へ位置および輸送指示の要求を配信し、そのユーザ・インタフェース１８上の監視通信装置１２のうちの１つから応答を入手し、他の監視通信装置１４および無線通信装置１０に応答２６を通知するために動作することができる。次に、無線通信装置１０のユーザ・インタフェース２０は、装置のベアラに、サービス（例えば、輸送）に対する要求に応答した１つの監視装置（１２または１４）を識別する応答を受信したことを知らせる。さらに、ナビゲーション・アプリケーションからの情報により潜在的に増大した監視装置１２のユーザからの入力に基づいて推定到着時間のような関連情報を、要求への応答２６にカプセル化することができる。
【００２０】
子供の装置１０に対する最も簡単なセキュア暗号化メッセージング・スキームでは、２つの方法の一方でだけ通信することができる。ａ）装置１０は、発信装置に返送したメッセージにより応答することにより、その登録したセキュア・ドメイン内の装置１２、１４から受信したメッセージに応答することができる。この応答メッセージは、少なくとも子供の装置の位置座標を含み、ｂ）装置１０は、その登録したセキュア・ドメイン内ですべての装置１２、１４にメッセージを同報通信することができる。このメッセージは、少なくとも子供の装置１０の位置座標を含む。ドメイン・マネージャ１６は、任意の他の監視装置１２、１４が任意の応答を送ったかどうかを示す状態フラグを添付することができる。
【００２１】
ドメイン・マネージャ１６は、子供の装置１０から同報通信を受信した場合に、必ず家族ドメイン内の１つの装置１２、１４だけが応答し受け入れ、すべての他の装置が要求に応答があったことを示す同報通信２６メッセージを受信するように、調停スキームを使用することができる。好適には、複数の家族ドメイン装置１２、１４がサービスに対する要求に応答した場合に、必ず家族ドメイン内の最も近くに位置する装置が要求に応答し、受け入れ、すべての他の装置が、要求に応答した同報通信メッセージ２６を受信するように、調停スキームを増大するために最適化アルゴリズムを使用することができる。
【００２２】
応答の後で、応答監視装置（図の例の場合には、１２）に、子供の装置１０の所与の位置へのナビゲーション情報を提供することができる。ナビゲーション情報は、ドメイン・マネージャ１６を通して、または装置１２により直接提供することができる。家族ドメイン装置のためのアプリケーション・ソフトウェアは、ユーザ・インタフェース１８上の地図上に子供の装置の位置を表示し、家族装置の現在の位置から子供の装置への経路を計算するコントローラ２２に組み込むことができる。このアプリケーション・ソフトウェアは、必要に応じて、Ｔｕｒｎ−ｂｙ−Ｔｕｒｎ（進路変更毎の）ナビゲーションおよび計算した経路に対する経路指示を提供することができる。このアプリケーション・ソフトウェアは、装置をベースとするものであっても、ネットワークをベースとするものであっても、または両方の組合せであってもよい。通常、このようなナビゲーション情報は、例えば、ＧＰＳシステム２４からの各信号３２、３０を通して入手した経路の開始および停止地点を使用して、当業者であれば周知のシステムにより提供することができる。親が所与の位置に向かって決定した経路を移動している間、セキュア・ドメイン・マネージャ１６は、自身が向かっているその位置について、子供の装置１０に周期的に問い合わせるために動作することができる。ナビゲーション情報は、それに従って更新することができる。好適には、監視装置１２が、両方の装置１０、１２の位置特定機能を使用してドメイン・マネージャ１６が決定した子供の装置１０に近い場所（すなわち、１０メートル以内）に位置している場合には、近い場所にいることを示す信号を監視装置１２のユーザ・インタフェース１８に送ることができる。この信号は、１つまたは複数の視覚信号、音響信号または触知信号であってもよい。
【００２３】
上記例の場合には、ネットワーク通信２６、２８を、コスト・パフォーマンスをよくするために、互換性を有する携帯電話プロトコルのページング・チャネル上で行うことができる。例えば、このようなメッセージングを、当業者であれば周知のように、ＧＳＭ（移動通信用グローバル・システム）のショート・メッセージ・サービス（ＳＭＳ）上で行うことができる。実際には、すべてのネットワーク通信は、互換性を有する携帯無線電話システム上で行われる。また、子供の装置１０をなくしたり、応答をすることができなくなった場合、装置の最後の既知の位置が、監視装置１２、１４に送信される。
【００２４】
図２に示すように、本発明は、また、サービスに対する位置信号を供給するための方法を提供する。この方法は、位置特定機能を有する無線通信装置および少なくとも１つの監視通信装置を提供する第１のステップを含む（ステップ１００）。位置特定機能は、例えば、ＧＰＳ座標を使用する技術のような、当業者であれば周知の技術のうちの任意のものであってもよい。安全のために、通信装置および監視装置は、すでに説明したように、この方法が、無線通信装置と少なくとも１つの監視装置との間でだけ動作することができるように、暗号化メッセージを使用するためのセキュア・ドメイン内に登録される（ステップ１０２）。好適には、通信装置は、輸送を要求し、その位置を知らせ、応答を受信することだけをできるように登録することが好ましい（ステップ１０３）。
【００２５】
次のステップは、位置およびサービス指示に対する要求を無線通信装置から監視装置に送信するステップを含む（ステップ１０６）。このステップは、要求されたサービスに対する予め記録したメッセージを送信するステップを含むことができる。予め格納したメッセージは、通信装置のファームウェア内に埋め込むこともできるし、またはその内部でプログラムすることもできる。
【００２６】
次のステップは、位置および要求サービス指示を受信するステップを含む（ステップ１０８）。すでに説明したように、要求は監視通信装置により直接受信することもできるし、または中間ドメイン・マネージャにより受信し、監視通信装置に配信することもできる。
【００２７】
次のステップは、監視通信装置のうちの１つから他の監視通信装置および無線通信装置へ応答を送信するステップを含む（ステップ１１４）。この場合、通信装置のベアラは、サービスに対する要求に応答した１つの監視装置を識別する応答について通知を受ける（ステップ１２０）。
【００２８】
応答は、応答している監視装置により直接送信することもできるし、または後で他の監視装置および無線通信送信に通知する（ステップ１１４）中間ドメイン・マネージャにより入手することもできる（ステップ１１２）。
【００２９】
輸送を容易にするために、通信装置への経路を提供するために、ナビゲーション情報を応答している監視装置に提供することもできる（ステップ１１８）。好適には、監視装置が通信装置の方向へ移動した場合に、監視装置は、その位置について無線通信装置に問い合わせることができ（ステップ１１６）、必要に応じて移動経路を更新することができる。目的地に近づき、監視装置が通信装置に接近すると、このことを示す信号を監視装置に送ることができる。
【００３０】
本発明の異なる実施形態は、異なるタイプの無線通信方法、メッセージの異なる送受信方法、異なるメッセージ・フォーマット等を使用することができる。さらに、本発明を、多数の異なる家族指向無線サービス・プランと一緒に使用することができる。子供の装置を、無線サービス・プランと一緒に提供されるハンドセットにダウンロードすることができる特種化したアプリケーション・ソフトウェアを含む子供の装置の「監視」のための毎月のサービス・プランの一部として無料で提供することができる。別の方法としては、子供の装置の監視／通信ができるように、ハンドセットにロードすることができるアプリケーション・ソフトウェアと抱き合わせて、簡単な装置自身を販売することもできる。さらに、親および子供のための特定の使用の場合について今まで説明してきたが、お年寄りの介護、およびある種のタイプの特種化した商用サービス（例えば、いくつかの場所で乗員を降ろし、その人たちが迎えに来てもらう準備ができた場合に通知する必要があるというようなクリーニング・サービス）の分野においての多くの類似の潜在的用途がある。
【００３１】
上記説明および図面で本発明を説明し、図示してきたが、この説明は単に例示としてのものであって、当業者であれば本発明の広義の範囲から逸脱することなしに、多くの変更および修正を行うことができることを理解することができるだろう。本発明は、特に携帯無線電話で使用することができるが、本発明はポケットベル、電子オーガナイザおよびコンピュータを含む任意の通信装置に適用することができる。本発明は添付の特許請求の範囲によってだけ制限される。
【図面の簡単な説明】
【００３２】
【図１】本発明による位置特定シグナリング・システムの簡単な略図。
【図２】本発明による位置特定シグナリング方法の流れ図。
【図１】
2008532383.tif 000003
【図２】
2008532383.tif 000004
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
サービスに対する位置信号を供給するためのシステムであって、
位置特定機能を有する無線通信装置であって、同無線通信装置のベアラに対するサービス要求を送信するための制御装置を含むユーザ・インタフェースを有する無線通信装置と、
少なくとも１つの監視通信装置であって、無線通信装置からの通信と一緒に位置を受信し、少なくとも１つの無線通信装置に確認の応答を送信する少なくとも１つの監視通信装置であって、
前記無線通信送信および前記少なくとも１つの監視装置が、前記無線通信装置と前記少なくとも１つの監視装置との間で暗号通信を行うことができるようにセキュア・ドメイン内に登録される、
システム。
【請求項２】
前記要求したサービスが、前記無線通信装置のベアラの輸送のためのものである請求項１に記載のシステム。
【請求項３】
前記無線通信装置のユーザ・インタフェースの制御装置が作動した場合に、前記要求したサービスに対する予め記録した通信が少なくとも１つの監視装置に送信される請求項１に記載のシステム。
【請求項４】
前記少なくとも１つの監視装置が、その位置について前記無線通信装置に問い合わせることができる請求項１に記載のシステム。
【請求項５】
前記１つの監視通信装置が、前記無線通信装置の位置へのナビゲーション情報の提供を受ける請求項１に記載のシステム。
【請求項６】
前記無線通信装置の動作が、サービスの要求、その位置の提供、および応答の受信だけに限定される請求項１に記載のシステム。
【請求項７】
前記無線通信装置のユーザ・インタフェースが、同無線通信装置のベアラに、サービス要求に応答した少なくとも１つの監視装置を識別する応答を受信したことを知らせる請求項１に記載のシステム。
【請求項８】
前記無線通信装置からの通信を受信し、前記少なくとも１つの監視装置に通信を搬送し、前記少なくとも１つの監視装置から確認を得て、前記無線通信装置に通知することができるセキュア・ドメイン・マネージャであって、
前記少なくとも１つの監視装置は前記無線通信装置からの通信を受信し、かつ、前記無線通信装置の位置を受信して、セキュア・ドメイン・マネージャを介して無線通信装置に確認したことを送信する、前記セキュア・ドメイン・マネージャを更に備える請求項１に記載のシステム。
【請求項９】
前記サービス要求は搬送要求である請求項８に記載のシステム。
【請求項１０】
前記通信は予め記録された通信である請求項８に記載のシステム。
【請求項１１】
前記通信は更に無線通信装置位置を含む請求項８に記載のシステム。
【請求項１２】
サービスに対する位置信号を供給するための方法であって、
位置特定機能を有する無線通信装置および少なくとも１つの監視通信装置を提供するステップと、
前記無線通信装置から位置とサービス指示に対する要求を送信するステップと、
前記少なくとも１つの監視通信装置により前記位置とサービス指示に対する要求を受信するステップと、
前記監視通信装置のうちの１つから他の監視通信装置および前記無線通信装置に応答を送信するステップと、からなり、
前記無線通信装置と前記少なくとも１つの監視装置との間で暗号通信ができるように、セキュア・ドメイン内に前記無線通信装置および前記少なくとも１つの監視装置を登録するステップと、
を含む方法。
【請求項１３】
前記送信ステップが、前記要求されたサービスに対して予め記録した通信を送信するステップを含む請求項１２に記載の方法。
【請求項１４】
前記無線通信装置にその位置について問い合わせるステップをさらに含む請求項１２に記載の方法。
【請求項１５】
前記無線通信装置の位置へのナビゲーション情報を提供するステップをさらに含む請求項１２に記載の方法。
【請求項１６】
前記無線通信装置の動作を、サービスの要求、その位置の提供、および応答の受信だけに限定するステップをさらに含む請求項１２に記載の方法。
【請求項１７】
前記装置のベアラに、サービスに対する前記要求に応答した前記少なくとも１つの監視装置を識別する応答を受信したことを知らせるステップをさらに含む請求項１２に記載の方法。
【手続補正書】
【提出日】平成19年8月27日(2007.8.27)
【手続補正１】
【補正対象書類名】特許請求の範囲
【補正対象項目名】全文
【補正方法】変更
【補正の内容】
【特許請求の範囲】
【請求項１】
サービスに対する位置信号を供給するためのシステムであって、
位置特定機能を有する無線通信装置であって、同無線通信装置のベアラに対するサービス要求を送信するための制御装置を含むユーザ・インタフェースを有する無線通信装置と、
少なくとも１つの監視通信装置であって、無線通信装置からの通信と一緒に位置を受信し、少なくとも１つの無線通信装置に確認の応答を送信する少なくとも１つの監視通信装置と、からなり
前記無線通信送信および前記少なくとも１つの監視装置が、前記無線通信装置と前記少なくとも１つの監視装置との間で暗号通信を行うことができるようにセキュア・ドメイン内に登録される、
システム。
【請求項２】
前記要求したサービスが、前記無線通信装置のベアラの輸送のためのものである請求項１に記載のシステム。
【請求項３】
前記無線通信装置の動作が、サービスの要求、その位置の提供、および応答の受信だけに限定される請求項１に記載のシステム。
【請求項４】
前記無線通信装置からの通信を受信し、前記少なくとも１つの監視装置に通信を搬送し、前記少なくとも１つの監視装置から確認を得て、少なくとも前記無線通信装置に通知することができるセキュア・ドメイン・マネージャであって、
前記少なくとも１つの監視装置は前記無線通信装置からの通信を受信し、かつ、前記無線通信装置の位置を受信して、セキュア・ドメイン・マネージャを介して無線通信装置に、確認したことを送信する、前記セキュア・ドメイン・マネージャを更に備える請求項１に記載のシステム。
【請求項５】
前記サービス要求は搬送要求である請求項４に記載のシステム。
【請求項６】
サービスに対する位置信号を供給するための方法であって、
位置特定機能を有する無線通信装置および少なくとも１つの監視通信装置を提供するステップと、
前記無線通信装置から位置とサービス指示に対する要求とを送信するステップと、
前記少なくとも１つの監視通信装置が前記位置とサービス指示に対する要求を受信するステップと、
前記監視通信装置のうちの１つから前記無線通信装置に応答を送信するステップと、
前記無線通信装置と前記少なくとも１つの監視装置との間で暗号通信ができるように、セキュア・ドメイン内に前記無線通信装置および前記少なくとも１つの監視装置を登録するステップと、
からなる方法。
【請求項７】
前記送信ステップが、前記要求されたサービスに対して予め記録された通信を送信するステップを含む請求項６に記載の方法。
【請求項８】
前記無線通信装置にその位置について問い合わせるステップをさらに含む請求項６に記載の方法。
【請求項９】
前記無線通信装置の位置へのナビゲーション情報を提供するステップをさらに含む請求項６に記載の方法。
【請求項１０】
前記装置のベアラに、サービスに対する前記要求に応答した前記少なくとも１つの監視装置を識別する応答を受信したことを知らせるステップをさらに含む請求項６に記載の方法。
【国際調査報告】
2008532383.tif 000005